(57)【要約】【課題】  基板に光伝送モジュールを取り付けるときに光ファイバが傷むのを防ぐことができ、巻き部の径や取付位置等を設計し直さなくても容易に複数種の光伝送モジュールに用いることができ、光伝送モジュールをコンパクトかつ容易に梱包できる光ファイバ余長処理具を提供する。【解決手段】  光伝送モジュール２にその光ファイバ延出部３に臨んで着脱自在に取り付けられるベース部材４と、該ベース部材４に設けられ上記光伝送モジュール２から延びる光ファイバ５を巻いて収める巻き部材６とを有し、上記光伝送モジュール２と共に基板７に固定される光ファイバ余長処理具１とした。【選択図】  図１
2005164630.tif 000002
【特許請求の範囲】
【請求項１】
光伝送モジュールの光ファイバ延出部に臨んで該光伝送モジュールに着脱自在に取り付けられるベース部材と、該ベース部材に設けられ上記光伝送モジュールから延びる光ファイバを巻いて収める巻き部材とを有し、上記光伝送モジュールに固定されることを特徴とする光ファイバ余長処理具。
【請求項２】
上記巻き部材が、上記ベース部材に位置調節可能に設けられた請求項１記載の光ファイバ余長処理具。
【請求項３】
上記ベース部材が、上記光伝送モジュールに位置調節可能に取り付けられた請求項１又は２記載の光ファイバ余長処理具。
【請求項４】
上記ベース部材が、上記光ファイバの延出端を取外し可能に保持するホルダ部を有する請求項１〜３いずれかに記載の光ファイバ余長処理具。
【請求項５】
上記ベース部材に、上記巻き部材を覆いつつ上記光ファイバを外部へ通す蓋部材を設けた請求項１〜４いずれかに記載の光ファイバ余長処理具。
【請求項６】
上記ベース部材には複数の巻き部材が互いに近接離間可能に設けられた請求項１〜５いずれかに記載の光ファイバ余長処理具。
【請求項７】
光伝送モジュールの光ファイバ延出部に臨んで該光伝送モジュールの筐体と一体に形成されたベース部材と、該ベース部材に位置調節可能に設けられ上記光伝送モジュールから延びる光ファイバを巻いて収める巻き部材とを備えたことを特徴とする光ファイバ余長処理具。
【発明の詳細な説明】
【技術分野】
【０００１】
本発明は、光伝送モジュールから延びる光ファイバの余長を処理する光ファイバ余長処理具に関するものである。
【背景技術】
【０００２】
基板に光伝送モジュールを設ける際、いかに光伝送モジュールから延びる光ファイバを傷めないように処理するか。光伝送モジュールを扱う業者にとっては重大な問題の１つであり、種々の試みがなされている。そして、光ファイバの余長を処理する光ファイバ余長処理具として特許文献１記載のものが知られている。
【０００３】
図９に示すように、この光ファイバ余長処理具４０は、光伝送モジュール２から延びる光ファイバ５を巻き部４１に巻き掛けることで光ファイバ５の余長を処理するようになっており、基板４２に蝶番４３を介して表裏反転可能に設けられている。具体的には、巻き部４１を表側にすることで光ファイバ５の巻き掛けを容易なものとし、光ファイバ５を巻き掛けた表側を反転させて基板４２に向かい合わせることで光ファイバ５を保護するようになっている。すなわち、光ファイバ余長処理具４０は、光ファイバ５を巻き掛けたのちは反転して基板４２に固定されるようになっている。
【０００４】
【特許文献１】特開平７−２９４７５２号公報
【発明の開示】
【発明が解決しようとする課題】
【０００５】
ところで、上述の光ファイバ余長処理具４０は、基板４２上で光ファイバ５を巻くため、基板４２に光伝送モジュール２を取り付ける際に光ファイバ５が基板４２上のデバイス４４等に引っ掛かったり引っ張られることが考えられ、光ファイバ５を傷めるおそれがあるという課題があった。
【０００６】
また、光伝送モジュール２は外形寸法については規格化されているものの、光ファイバ延出部３、具体的にはブーツの長さや位置までは規格化されておらず、メーカや型によって異なる。このため、上述の光ファイバ余長処理具４０を外形寸法が同じである他の光伝送モジュール（図示せず）に用いようとすると、それぞれの光伝送モジュールのブーツの位置に合わせて巻き部４１の径を設計し直したり光ファイバ余長処理具４０の取付位置などを設計し直さなくてはならず、手間が掛かるという課題があった。
【０００７】
そして、光伝送モジュール２を出荷用に梱包する場合、図１０に示すように梱包パッケージ４５に光ファイバ５を巻く部分４６と、光ファイバ５の延出端たるコネクタ１１を保持する部分４７とを形成し、手作業で光伝送モジュール２を詰めなくてはならないため、コンパクトに梱包することが難しく、手間がかかるという課題があった。
【０００８】
そこで本願発明の目的は、上記課題を解決し、基板に光伝送モジュールを取り付けるときに光ファイバが傷むのを防ぐことができ、巻き部の径や取付位置等を設計し直さなくても容易に複数種の光伝送モジュールに用いることができ、光伝送モジュールをコンパクトかつ容易に梱包できる光ファイバ余長処理具を提供することにある。
【課題を解決するための手段】
【０００９】
本発明は上記課題を解決するために、光伝送モジュールにその光ファイバ延出部に臨んで着脱自在に取り付けられるベース部材と、該ベース部材に設けられ上記光伝送モジュールから延びる光ファイバを巻いて収める巻き部材とを有し、上記光伝送モジュールに固定されるものとした。
【００１０】
また、上記巻き部材が、上記ベース部材に位置調節可能に設けられるものとした。
【００１１】
そして、上記ベース部材が、上記光伝送モジュールに位置調節可能に取り付けられるものとした。
【００１２】
上記ベース部材は、上記光ファイバの延出端を取外し可能に保持するホルダ部を有するとよい。
【００１３】
また、上記ベース部材に、上記巻き部材を覆いつつ上記光ファイバを外部へ通す蓋部材を設けるとよい。
【００１４】
またさらに、上記ベース部材には複数の巻き部材が互いに近接離間可能に設けられるとよい。
【００１５】
また、光伝送モジュールの光ファイバ延出部に臨んで該光伝送モジュールの筐体と一体に形成されたベース部材と、該ベース部材に位置調節可能に設けられ上記光伝送モジュールから延びる光ファイバを巻いて収める巻き部材とを備えたものである。
【発明の効果】
【００１６】
（１）基板に光伝送モジュールを取り付けるときに光ファイバが傷むのを防ぐことができる。
【００１７】
（２）外形寸法が等しい複数種の光伝送モジュールに容易に用いることができる。
【００１８】
（３）光伝送モジュールを容易にコンパクトに梱包できる。
【発明を実施するための最良の形態】
【００１９】
図１は、光伝送モジュールに取り付けた光ファイバ余長処理具の斜視図であり、図２は光ファイバ余長処理具を他の角度から見た要部斜視図である。
【００２０】
図１及び図２に示すように、光ファイバ余長処理具１は、光伝送モジュール２にその光ファイバ延出部３に臨んで着脱自在に取り付けられるベース部材４と、ベース部材４に設けられ光伝送モジュール２から延びる光ファイバ５を巻いて収める巻き部材６とを備えて構成されており、光伝送モジュール２に固定されるようになっている。
【００２１】
光ファイバ延出部３は、光伝送モジュール本体８から光ファイバ５を延出させる部位であり、具体的には光伝送モジュール本体８に突起して設けられ光ファイバ５の基端外周を囲繞する略筒状のブーツである。ブーツは一般にゴム等の樹脂にて形成されており、光ファイバ５から受ける力に追従して屈曲するようになっている。
【００２２】
ベース部材４は、光伝送モジュール２と略同じ幅の矩形板状に形成されており、光伝送モジュール２の底面（図示せず）に沿って光伝送モジュール２から延出するように設けられている。そして、ベース部材４は、樹脂などの非導電性の非金属にて形成されており、基板７上の回路（図示せず）を短絡させないようになっている。また、ベース部材４は、光伝送モジュール２からの延出長さを調節できるように光伝送モジュール２に位置調節可能に取り付けられている。具体的には、ベース部材４は、基端側に延出方向に延びる第１長穴９を有し、この第１長穴９にネジなどの固定部材（図示せず）を通して締結することで光伝送モジュール２に締め付け固定されるようになっている。そして、ベース部材４の両側には、光伝送モジュール２の両側に当接されるガイド部１０が形成されており、ベース部材４を延出方向にスライド可能に案内するようになっている。
【００２３】
また、ベース部材４は、光ファイバ５の延出端たるコネクタ１１を取外し可能に保持するホルダ部１２を有する。ホルダ部１２は、コネクタ１１の両側を弾発的に挟む一対の爪１３からなる。
【００２４】
巻き部材６は、断面円形のリールからなり、軸上の一端側へ突出するねじ部１４を有する。そして、巻き部材６は、ベース部材４にねじ部１４を介して位置調節可能に設けられている。具体的には、ベース部材４には第１長穴９と直角に交差する方向（側方）に延びる第２長穴１５が形成されており、この第２長穴１５にねじ部１４を通し、このねじ部１４にナット（図示せず）を螺合させることで巻き部材６をベース部材４の任意の位置に締め付け固定できるようになっている。これにより光ファイバ延出部３の位置に応じて巻き部材６の固定位置を調節でき、同一寸法の他の光伝送モジュール２に容易に対応させることができるようになっている。
【００２５】
また、巻き部材６の外周には、光ファイバ５を案内するための溝１６が周方向に延びて環状に形成されており、光ファイバ５を収容するようになっている。溝１６は断面円弧状に形成されており、光ファイバ５を引っ掛けないようになっている。そして、巻き部材６は、巻き掛ける光ファイバ５を傷めない所定の半径以上に形成されている。
【００２６】
次に本形態の作用を述べる。
【００２７】
製造した光伝送モジュール２を梱包する場合、光伝送モジュール２に光ファイバ余長処理具１を取り付け、光伝送モジュール２から延びる光ファイバ５を巻き部材６に巻く。このとき、光ファイバ延出部３から延びる光ファイバ５をなだらかな曲率で導いて巻けるように巻き部材６の位置合わせを行う。具体的には、光ファイバ５の延出方向の位置はベース部材４の取付位置を第１長穴９に沿って移動させることで調節し、光ファイバ５と交差する方向の位置は、巻き部材６のねじ部１４に螺合されるナットを緩め、巻き部材６を第２長穴１５に沿ってスライド移動させることで調節する。このように巻き部材６は交差する２方向に移動自在であるため、光伝送モジュール２の外形寸法が同じであれば光ファイバ延出部３に対する巻き部材６の位置を自在に調節することができ、複数種の光伝送モジュール２に容易に用いることができる。
【００２８】
そして、光ファイバ延出部３に対する巻き部材６の位置を最適に調節することで光ファイバ延出部３の近傍で光ファイバ５をコンパクトに巻くことができ、光ファイバ５が折れ曲がるのを防ぐことができる。そして、図６に示すように、光伝送モジュール２と光ファイバ余長処理具１とを一括して梱包パッケージ１７に収容する等、光伝送モジュール２を容易かつコンパクトに梱包することができる。また、梱包パッケージ１７から光伝送モジュール２を取り出す際も、光伝送モジュール２を光ファイバ余長処理具１ごと取り出せるため、光ファイバ５が折れる心配がなく、光伝送モジュール２を容易に取り扱うことができる。
【００２９】
このようにして梱包パッケージ１７から取り出した光伝送モジュール２を基板７に取り付ける場合、光伝送モジュール２を光ファイバ余長処理具１ごと基板７に取り付け、巻き部材６から光ファイバ５を所望の長さだけ巻き出して基板７上に巡らせる。光ファイバ５を必要な長さだけ延ばすことができるため、光ファイバ５が基板７上のデバイス（図示せず）などに引っ掛かったり、引っ張られたりすることがなく、光ファイバ５を傷める心配はない。特に光ファイバ延出部３に対する巻き部材６の位置は固定されているため、光ファイバ延出部３と巻き部材６との間に延びる光ファイバ５に予期しない応力がかかる心配がなく、光ファイバ５が基端から折れ曲がるのを良好に防ぐことができる。そして、基板７上で光ファイバ５の余長処理を行う必要がないため、基板７に光伝送モジュール２を容易に取り付けることができる。
【００３０】
このように、光ファイバ余長処理具１を、光伝送モジュール２にその光ファイバ延出部３に臨んで着脱自在に取り付けられるベース部材４と、ベース部材４に設けられ光伝送モジュール２から延びる光ファイバ５を巻いて収める巻き部材６とを有し、光伝送モジュール２に固定されるものとしたため、基板７上で光ファイバ５の余長処理を行う必要がなく、基板７に光伝送モジュール２を取り付けるときに光ファイバ５が傷むのを防ぐことができる。
【００３１】
そして、巻き部材６が、ベース部材４に位置調節可能に設けられるものとしたため、巻き部材６の位置を光ファイバ延出部３の位置や形状等に合わせて調節することができ、外形寸法が等しい複数種の光伝送モジュールに汎用的に容易に用いることができる。
【００３２】
また更に、ベース部材４が、光伝送モジュール２に位置調節可能に取り付けられるものとしたため、巻き部材６の位置を光ファイバ延出部３の位置や形状等に合わせて調節することができ、外形寸法が等しい複数種の光伝送モジュールに汎用的に容易に用いることができる。
【００３３】
そして、ベース部材４が、光ファイバ５の延出端たるコネクタ１１を取外し可能に保持するホルダ部１２を有するものとしたため、光伝送モジュール２を梱包パッケージ１７から取り出すときや、光伝送モジュール２を基板７に取り付けるときなどに光ファイバ５の延出端が引っ掛かるなどにより光ファイバ５が傷むのを防ぐことができ、光伝送モジュール２の取り扱いを容易なものにできる。また、光ファイバ５が巻き部材６からほどけるのを防ぎ、光伝送モジュール２の取り扱いを容易なものにできる。
【００３４】
そして、巻き部材６の外周に光ファイバ５を案内するための溝１６を設けたため、光ファイバ５が巻き部材６から振動等により自然にほどけるのを防ぐことができる。
【００３５】
なお、ベース部材４に巻き部材６が１つ設けられているものについて説明したが、これに限るものではない。図３に示すように、光伝送モジュール２から延びる光ファイバ５の本数に応じてベース部材２０に巻き部材６を多段に設け、それぞれの光ファイバ５を別々の巻き部材６に巻き掛けるようにしてもよい。これにより、光ファイバ５同士が絡まるのを防ぐことができ、別々に扱うことができる。
【００３６】
また、ベース部材２０に光伝送モジュール２に対するスライドを規制するためのスライドストッパ２１を設けてもよい。
【００３７】
そして、図４に示すようにベース部材２５の裏側に、ねじ部１４に螺合されるナット２６を収容するための逃げ溝２７を第２長穴２８に沿って形成してもよい。ナット２６が基板７に当たるのを防ぐことができる。
【００３８】
また、図５に示すように、巻き部材６を覆いつつ光ファイバ（図示せず）を外部へ通す蓋部材３０をベース部材４に着脱自在に設けてもよい。具体的には、蓋部材３０はベース部材４に着脱自在に設けられベース部材４の表面（上面）に対して起立する脚部３１、３２と、脚部３１、３２に設けられベース部材４と略平行に延びる天板部３３とを備えて構成するとよい。そして、脚部３１、３２はベース部材４の四隅に着座されるものとするとよい。ベース部材４の延出方向側と両側とのどこからでも光ファイバを導き出すことができ、ベース部材４に蓋部材３０を安定して取り付けることができる。そしてさらに、脚部３１、３２の側面をなだらかな曲面に形成するとよい。光ファイバが脚部３１、３２に当たって折れ曲がるのを防ぐことができる。
【００３９】
また、蓋部材３０はベース部材４に着脱自在に取り付けるものとしたが、光伝送モジュール２に着脱自在に取り付けるものとしてもよく、巻き部材６に着脱自在に取り付けるものとしてもよい。そして、蓋部材３０は、天板部３３をベース部材４と略同等の大きさに形成するものとしたが、これに限るものではく、少なくとも巻き部材６の外周側に延出すれば巻き部材６に巻かれた光ファイバを保護することができる。ただし、光ファイバ延出部３から巻き部材６に延びる光ファイバを保護するためには、天板部３３をベース部材４と略同等の大きさに形成することが好ましい。
【００４０】
そして、ベース部材４は非金属で形成するものとしたが、短絡を発生させない基板（図示せず）等の場合、ベース部材（図示せず）を金属で形成してもよい。この場合、ベース部材は放熱フィンの機能を有し、基板上のデバイス等から放出される熱をベース部材を通じてより効率的に放熱することができる。
【００４１】
また、光伝送モジュール２にベース部材４を延出方向に位置調節可能に設け、ベース部材４に巻き部材６を側方に位置調節可能に設けたが、これとは逆に、光伝送モジュール２にベース部材（図示せず）を側方に位置調節可能に設け、ベース部材に巻き部材（図示せず）をベース部材の延出方向に位置調節可能に設けてもよい。
【００４２】
また、ベース部材４は別部品ではなく光伝送モジュール本体（図示せず）の付属品として作ることも可能である。すなわち、図８に示すように、光伝送モジュール６０の光ファイバ延出部３に臨んでその光伝送モジュール６０の筐体６１と一体に形成されたベース部材６２と、ベース部材６２に位置調節可能に設けられ光伝送モジュール６０から延びる光ファイバ５を巻いて収める巻き部材６とを備えて光ファイバ余長処理具６３を構成してもよい。外形寸法が等しい複数種の光伝送モジュールに光ファイバ余長処理具６３を筐体６１ごと流用し、ブーツ６４の形状等に合わせて巻き部材６の位置を調節することで、光ファイバ５を無理なく巻き部材６に巻くことができ、基板（図示せず）に光伝送モジュール６０を取り付けるときに光ファイバ５が傷むのを防ぐことができる。そしてこの場合、筐体６１からベース部材６２への熱伝導性を高められる。また、部品点数を減らせるので、低コスト化に有利となる。
【００４３】
他の実施の形態について述べる。
【００４４】
図７に示す光ファイバ余長処理具５０は、ベース部材４に複数の巻き部材５１、５２を設けたものである。上述と同様の構成については同符号を付し、説明を省く。
【００４５】
巻き部材５１、５２は、それぞれ円盤の外周の一部を直線状に切り欠いた形状であって半円より大きな外周を有する異形状に形成されており、ベース部材４に一対、互いに近接離間可能に設けられている。具体的には、巻き部材５１、５２は、それぞれ上述と同様のねじ部１４を有し、第２長穴１５にねじ部１４を通し、その先端にナット（図示せず）を螺合させることでベース部材４に位置調節可能に締め付け固定されるようになっている。
【００４６】
また、巻き部材５１、５２の外周には、光ファイバ５を収容するための溝１６が周方向に延びて形成されている。そして、巻き部材５１、５２の外径は、巻き掛ける光ファイバ５を傷めない所定の半径以上に設定されている。
【００４７】
光伝送モジュール２から延びる光ファイバ５を巻き部材５１、５２に巻く場合、光ファイバ５をなだらかな曲率で一方の巻き部材５１に導けるように一方の巻き部材５１の位置を合わせ、この巻付け部材５１をベース部材４に締め付け固定する。そして、この巻き部材５１から適宜離れた位置に他方の巻き部材５２を仮留めする。この後、光ファイバ５を２つの巻き部材５１、５２に跨って緩く巻き、仮留めした巻き部材５２を第２長穴１５に沿って適宜移動させることで、巻き部材５１、５２から繰り出される光ファイバ５の長さを調節し、ベース部材４に巻き部材５２を締め付け固定する。ベース部材４に固定された巻き部材５１、５２は、光ファイバ５から多少の力を受けても動くことはなく、光ファイバ５を安定して保持できる。
【００４８】
このように、ベース部材４に複数の巻き部材５１、５２を互いに近接離間可能に設けたため、巻き部材５１、５２に巻かれる光ファイバ５の量を微細に調節することができ、巻き部材５１、５２から繰り出す光ファイバ５の長さを必要な長さにぴったり合わせて使用できる。また、巻き部材５１、５２を、半円より大きな外周を有する異形状に形成したため、２つの巻き部材５１、５２に跨って光ファイバ５を巻き付けても、光ファイバ５が巻き部材５１、５２の角部５３に当たって折れるのを防ぐことができる。
【００４９】
なお、ベース部材４に一対の巻き部材５１、５２を設けるものとしたが、２つ以上の複数の巻き部材を設けてもよいのは勿論である。
【図面の簡単な説明】
【００５０】
【図１】本発明の最良の形態を示す光伝送モジュールに取り付けた光ファイバ余長処理具の斜視図である。
【図２】光伝送モジュールに取り付けた光ファイバ余長処理具の斜視図である。
【図３】他の最良の形態を示す光伝送モジュールに取り付けた光ファイバ余長処理具の斜視図である。
【図４】他の最良の形態を示す光伝送モジュールに取り付けた光ファイバ余長処理具の斜視図である。
【図５】他の最良の形態を示す光伝送モジュールに取り付けた光ファイバ余長処理具の斜視図である。
【図６】梱包パッケージ内に光伝送モジュールと共に詰められた光ファイバ余長処理具の概略平面図である。
【図７】他の最良の形態を示す光ファイバ余長処理具の斜視図である。
【図８】他の最良の形態を示す光ファイバ余長処理具の斜視図である。
【図９】従来の光ファイバ余長処理具の斜視図である。
【図１０】梱包パッケージ内に詰められた光伝送モジュールの概略平面図である。
【符号の説明】
【００５１】
１  光ファイバ余長処理具
２  光伝送モジュール
３  光ファイバ延出部
４  ベース部材
５  光ファイバ
６  巻き部材
７  基板
１１  コネクタ（延出端）
１２  ホルダ部
３０  蓋部材
５０  光ファイバ余長処理具
５１  巻き部材
５２  巻き部材
【図１】
2005164630.tif 000003
【図２】
2005164630.tif 000004
【図３】
2005164630.tif 000005
【図４】
2005164630.tif 000006
【図５】
2005164630.tif 000007
【図６】
2005164630.tif 000008
【図７】
2005164630.tif 000009
【図８】
2005164630.tif 000010
【図９】
2005164630.tif 000011
【図１０】
2005164630.tif 000012